(57)【要約】【課題】小型な布線電気接続箱を提供する。【解決手段】絶縁材からなる第１及び第２のインシュレーションパネル１、２には、配線材である電線３が収容される溝１ａ（２ａ）と、外部電装部品と電気的に接続されるタブ端子４が係合する係合孔１ｂ（２ｂ）が設けられている。電線３は、所定の間隔ｄを置いて配された第１のインシュレーションパネル１と第２のインシュレーションパネル２をまたぐように敷設される。第１のインシュレーションパネル１及び第２のインシュレーションパネル２は、配線されていない背面同士を合わせるようにして図示しないケースに収納される。【選択図】図１
2007166741.tif 000002
【特許請求の範囲】
【請求項１】
電線を敷設する配線面を有すると共に端子収容部が形成され、前記配線面が互いに反対側を向くように配置された第１及び第２の絶縁基板と、
前記第１及び第２の絶縁基板の配線面に沿って前記第１及び第２の絶縁基板を一方の縁部側からまたぐように敷設された電線と、
前記第１及び第２の絶縁基板の端子収容部に前記配線面側に突出するように装着されると共に前記電線の内部導体と電気的に接続された端子と、
外面に前記端子の先端が臨むコネクタ部を有し内部に前記第１及び第２の絶縁基板を収容する上下ケースと
を備えたことを特徴とする電気接続箱。
【請求項２】
前記電線は、前記第１及び第２の絶縁基板の前記端子収容孔の部分で絶縁被覆が剥離されて内部導体が露出し、
前記端子は、前記電線の内部導体露出部に抵抗溶接、レーザ溶接、ハンダ付け又は超音波溶着により接合されたものである
ことを特徴とする請求項１記載の電気接続箱。
【請求項３】
前記第１及び第２の絶縁基板は、前記一方の縁部がヒンジを介して接続されていることを特徴とする請求項１記載の電気接続箱。
【発明の詳細な説明】
【技術分野】
【０００１】
本発明は、自動車のリレー、ヒューズ等が搭載され、電気部品の端子や配線を接続する電気接続箱に関する。
【背景技術】
【０００２】
近年、自動車等の多機能化に伴い、自動車等に搭載される電装部品は増加している。一般に、これらの電装部品の端子や電装部品の配線であるワイヤーハーネスは、接続される部位ごとにまとめられ電気接続箱に接続される。
【０００３】
電気接続箱は、電装部品を電気的に接続する回路と、内部にこの回路を収納し外面にリレー、ヒューズ及び他の電装部品と係合するコネクタを備えたケースとを備えて構成されている。
【０００４】
従来の電気接続箱の回路材料は、金属板を任意の形状に打ち抜いて折り曲げたバスバーによって構成されており、金属板を打ち抜く金型製作にコストがかかり、また回路設計の自由度も低かった。
【０００５】
そこで、回路材料としてバスバーの代わりにフラット配線材を用い、電装部品の端子及びワイヤーハーネスを電気的に接続する布線電気接続箱も提案されている（特許文献１、２）。これにより、バスバー電気接続箱のような金型作製の工程を必要せずコストダウンを図ることができる。
【特許文献１】特開２００１−２７５２２９号
【特許文献２】特開平１１−２３４８５７号
【発明の開示】
【発明が解決しようとする課題】
【０００６】
本発明は、このような布線電気接続箱の小型化を図り、配線空間の更なる省スペース化を図るようにした布線電気接続箱を提供することを目的とする。
【課題を解決するための手段】
【０００７】
本発明の電気接続箱は、電線を敷設する配線面を有すると共に端子収容部が形成され、前記配線面が互いに反対側を向くように配置された第１及び第２の絶縁基板と、前記第１及び第２の絶縁基板の配線面に沿って前記第１及び第２の絶縁基板を一方の縁部側からまたぐように敷設された電線と、前記第１及び第２の絶縁基板の端子収容部に前記配線面側に突出するように装着されると共に前記電線の内部導体と電気的に接続された端子と、外面に前記端子の先端が臨むコネクタ部を有し内部に前記第１及び第２の絶縁基板を収容する上下ケースとを備えたことを特徴とする。
【発明の効果】
【０００８】
本発明による電気接続箱によれば、配線材である電線を第１及び第２の絶縁板にまたがって配線し、第１及び第２の絶縁板の配線のない背面同士を向かい合わせてケースに収納することにより、電気接続箱の小型化を図ることが可能となる。
【発明を実施するための最良の形態】
【０００９】
以下、添付した図面を参照して本発明に係る電気接続箱の実施の形態について説明する。
【００１０】
図１は、本発明の実施形態に係る電気接続箱の一部の展開斜視図である。
【００１１】
図１に示すように樹脂等の絶縁材からなる第１及び第２のインシュレーションパネル１、２の片面（配線面１Ｓ、２Ｓ）には、それぞれ所定の位置に電線２を収納する溝１ａ、２ａと、図示しない外部電装部品と電気的に接合するタブ端子３が係合する端子収容部である係止孔１ｂ、２ｂが形成されている。電線３は、所定の隙間ｄを介して配された２つのインシュレーションパネル１、２の配線面１Ｓ、２Ｓを一方の縁部１ｅ、２ｅを介してまたぐように布線されており各溝１ａ、２ａに収納される。
【００１２】
図２は、電線３の一部拡大図である。電線３は、任意の部分において被覆材３ａが剥がされており、その位置で電線３内部の導電材３ｂとタブ端子４とが電気的に接合される。ここで、電線３は、大電流回路では撚り線の太物電線３ｃを用い、中及び小電流回路では撚り線もしくは単線の細物電線３ｄを用いることが好ましい。また、電線３とタブ端子４との接続方法としては、抵抗溶接、レーザ溶接、ハンダ付け及び超音波溶着のいずれかの方法を用いることができる。
【００１３】
図３は、図１のＡ−Ａ’断面図である。金属からなるタブ端子４は、一方の端部がＵ字状に折り曲げられ、このＵ字部４ａがインシュレーションパネル１（２）の係止孔１ｂ（２ｂ）に嵌め込まれる。このＵ字部４ａの先端は、これと対向する係止孔１ｂ（２ｂ）が有するＹ側に面した段である第１の係止部１ｃ（２ｃ）と係合し、タブ端子４がＸ側に抜けるのを防止する。更に、このＵ字部４ａには、先端が反対側に外側に折り曲げられた係止片４ｂが形成されている。この係止片４ｂは、係止孔１ｂ（２ｂ）の第１の係止部１ｃ（２ｃ）とは反対側の壁面に形成されたＸ側に面した段である第２の係止部１ｄ（２ｄ）と係合し、タブ端子４がＹ側に抜けるのを防止する。また、タブ端子４のＵ字部４ａの内側は、電線４を抱え込むように保持する。タブ端子４のＵ字部４ａとは反対側の端部は、上部に突出した板状に形成され図示しない外部電装部品のコネクタと電気的に接合する。
【００１４】
図４は、同電気接続箱の分解斜視図である。
【００１５】
第１及び第２のインシュレーションパネル１、２は、間に絶縁材８を介して配線されていない背面同士が重なり合わせられる。上側の第１のインシュレーションパネル１の配線面側には、第１のインシュレーションパネル１と対向する方向に開口した箱状の上ケース５が配され、下側に配された第２のインシュレーションパネル２の配線面側には、上ケース５と脱着可能に係合する下ケース６が配される。ここで、上ケース５の上面には、ヒューズ９及びリレー１０と脱着可能に係合するヒューズ装着部５ｂ及びリレー装着部５ａが一体形成されており、下ケース６の底面には、コネクタ１１が脱着可能に係合するコネクタ装着部６ａが一体成形されている。
【００１６】
このように、配線材である電線３を第１及び第２のインシュレーションパネル１、２の配線面１Ｓ、２Ｓ側に、一方の縁部１ｅ、２ｅを介してまたがって配線し、第１及び第２のインシュレーションパネル１、２の配線のない背面同士を向かい合わせるように折り曲げてケースに収納することにより、電気接続箱の小型化を図ることが可能となる。
【００１７】
図５は、本発明の第２の実施形態に係る電気接続箱の一部展開斜視図であり、図６は、同電気接続箱の収納時における一部斜視図である。
【００１８】
第１及び第２のインシュレーションパネル１、２の一方の縁部１ｅ、２ｅの間には、第１の実施形態に加えてヒンジ７が設けられている。このようにヒンジ７を介することにより、位置合わせをしてインシュレーションパネル１、２の背面同士を合わせる必要もなく、また上下ケース５、６の内部においてインシュレーションパネル１、２を安定して固定することができる。
【図面の簡単な説明】
【００１９】
【図１】本発明に係る電気接続箱の展開斜視図である。
【図２】同電気接続箱の一部拡大図である。
【図３】図１のＡ−Ａ’断面図である。
【図４】同電気接続箱の分解斜視図である。
【図５】他の実施形態に係る電気接続箱の展開斜視図である。
【図６】同電気接続箱の一部斜視図である。
【符号の説明】
【００２０】
１，２…インシュレーションパネル、３…電線、４…端子、５…上ケース、６…下ケース、７…ヒンジ、８…絶縁材、９…ヒューズ、１０…リレー、１１…コネクタ。
【図１】
2007166741.tif 000003
【図２】
2007166741.tif 000004
【図３】
2007166741.tif 000005
【図４】
2007166741.tif 000006
【図５】
2007166741.tif 000007
【図６】
2007166741.tif 000008